(57)【特許請求の範囲】
【請求項１】
音声信号処理方法であって、
ユーザ装置（ＵＥ）によって送出された符号化音声信号を受信する工程であって、前記符号化音声信号は、第１のサブストリーム、第２のサブストリーム、及び第３のサブストリームを含み、前記第１のサブストリームは巡回冗長チェック（ＣＲＣ）を含む工程と、
復号化アルゴリズムを採用することにより、前記第１のサブストリーム、前記第２のサブストリーム、及び前記第３のサブストリームに対して復号化処理を行う工程であって、前記ＣＲＣの補助決定に基づいた復号化アルゴリズムは、前記第１のサブストリームに対して復号化処理を行うために採用される工程と、
前記第１のサブストリーム、前記第２のサブストリーム、及び前記第３のサブストリームの復号化結果を基地局制御装置に送出する工程であって、前記第１のサブストリームの前記復号化結果が、前記第１のサブストリームに対応する復号化ビット・ストリーム及び前記ＣＲＣに基づいたＣＲＣ結果を含む工程と
を含み、
前記第１のサブストリームに対して復号化処理を行うために採用される、前記ＣＲＣの前記補助決定に基づいた前記復号化アルゴリズムは、
前記ＣＲＣの前記補助決定に基づいた前記復号化アルゴリズムを採用することにより、複数の候補経路上の復号化結果を獲得し、前記複数の候補経路上の前記復号化結果に対してＣＲＣを行うよう前記ＣＲＣを適用し、経路上で前記ＣＲＣにパスした場合の当該経路の復号化結果及びＣＲＣ結果、並びに、最善経路のＣＲＣ結果を獲得する工程であって、前記最善経路は、ビタビ復号化アルゴリズムを採用することによって判定された最大尤度経路である工程を含み、
前記第１のサブストリームの前記復号化結果を前記基地局制御装置に送出する工程は、
前記経路上で前記ＣＲＣにパスした場合の当該経路の前記復号化結果及び前記ＣＲＣ結果、並びに、前記最善経路の前記ＣＲＣ結果を、前記基地局制御装置に送出するので、前記基地局制御装置が、前記最善経路の前記ＣＲＣ結果を外側ループ電力制御モジュールに送出し、前記経路上で前記ＣＲＣにパスした場合の当該経路上の前記復号化結果及び前記ＣＲＣ結果をコア・ネットワークに送出する工程を含む方法。
【請求項２】
請求項１記載の方法であって、前記ＣＲＣの前記補助決定に基づいた前記復号化アルゴリズムが、リスト・ビタビ復号化アルゴリズム又はビット反転復号化アルゴリズムである方法。
【請求項３】
請求項１又は２に記載の方法であって、
前記第１のサブストリームが占めるチャネル・リソースを削減し、前記第２のサブストリーム及び前記第３のサブストリームが占めるチャネル・リソースを増加させる工程を更に含む方法。
【請求項４】
請求項３記載の方法であって、前記第１のサブストリームが占める前記チャネル・リソースを削減し、前記第２のサブストリーム及び前記第３のサブストリームが占める前記チャネル・リソースを増加させる工程は、
前記第１のサブストリームのレート・マッチング・パラメータを削減し、前記第２のサブストリーム及び前記第３のサブストリームのレート・マッチング・パラメータを増加させる工程を含む方法。
【請求項５】
請求項１又は２に記載の方法であって、
前記基地局制御装置によって送出される目標信号対干渉雑音比を受信し、前記目標信号対干渉雑音比に応じて、内側ループ電力制御を行う工程
を更に含む方法。
【請求項６】
音声信号処理方法であって、
第１のサブストリーム、第２のサブストリーム、及び第３のサブストリームの復号化結果であり、基地局によって送出される復号化結果を受信する工程であって、前記第１のサブストリームの前記復号化結果は、巡回冗長チェック（ＣＲＣ）の補助決定に基づいた復号化アルゴリズムを採用することにより、復号化処理が行われた後に獲得された復号化結果であり、前記復号化結果は、前記第１のサブストリームに対応する復号化ビット・ストリーム、及び前記第１のサブストリームに付加された前記ＣＲＣに基づいたＣＲＣ結果を含む工程と、
前記ＣＲＣ結果を外側ループ電力制御モジュールに送出し、前記第１のサブストリームの前記ＣＲＣ結果及び前記復号化ビット・ストリーム、並びに、前記第２のサブストリーム及び前記第３のサブストリームの前記復号化結果をコア・ネットワークに送出する工程とを含み、
前記ＣＲＣ結果は、経路上で前記ＣＲＣにパスした場合の当該経路のＣＲＣ結果、及び最善経路のＣＲＣ結果を含み、前記復号化ビット・ストリームは、経路上で前記ＣＲＣにパスした場合の当該経路の復号化ビット・ストリームであり、前記最善経路はビタビ復号化アルゴリズムを採用することによって判定される最大尤度経路であり、
前記ＣＲＣ結果を前記外側ループ電力制御モジュールに送出する工程は、
前記最善経路の前記ＣＲＣ結果を前記外側ループ電力制御モジュールに送出する工程を含み、
前記第１のサブストリームの前記ＣＲＣ結果及び前記復号化ビット・ストリームを前記コア・ネットワークに送出する工程は、
前記経路上で前記ＣＲＣにパスした場合の当該経路の前記復号化ビット・ストリーム及び前記ＣＲＣ結果を前記コア・ネットワークに送出する工程を含む方法。
【請求項７】
請求項６記載の方法であって、
前記基地局が、前記第１のサブストリームが占めるチャネル・リソースを削減し、前記第２のサブストリーム及び前記第３のサブストリームが占めるチャネル・リソースを増加させる旨を指示する工程、又は
前記外側ル―プ電力制御モジュールの目標ブロック誤り率を削減して、目標信号対干渉雑音比を削減し、前記削減された目標信号対干渉雑音比を前記基地局に送出するよう前記外側ル―プ電力制御モジュールをイネーブルする工程
を更に含む方法。
【請求項８】
基地局であって、
ユーザ装置（ＵＥ）によって送出された符号化音声信号を受信するよう構成された第１の受信モジュールであって、前記符号化音声信号は、第１のサブストリーム、第２のサブストリーム、及び第３のサブストリームを含み、前記第１のサブストリームは巡回冗長チェック（ＣＲＣ）を含む第１の受信モジュールと、
復号化アルゴリズムを採用することにより、前記第１のサブストリーム、前記第２のサブストリーム、及び前記第３のサブストリームに対して復号化処理を行うよう構成された復号化処理モジュールであって、前記ＣＲＣの補助決定に基づいた復号化アルゴリズムは、前記第１のサブストリームに対して復号化処理を行うために採用される復号化処理モジュールと、
前記第１のサブストリーム、前記第２のサブストリーム、及び前記第３のサブストリームの復号化結果を基地局制御装置に送出するよう構成された第１の送出モジュールであって、第１のサブストリームの前記復号化結果が、前記第１のサブストリームに対応する復号化ビット・ストリーム、及び前記ＣＲＣに基づいたＣＲＣ結果を含む第１の送出モジュールと
を備え、
前記第１の受信モジュールは、
前記第１のサブストリームを受信するよう構成された第１の受信装置と、
前記第２のサブストリームを受信するよう構成された第２の受信装置と、
前記第３のサブストリームを受信するよう構成された第３の受信装置とを備え、
前記復号化処理モジュールは、
並列リスト・ビタビ復号化アルゴリズムを採用することにより、前記第１のサブストリームに対して復号化処理を行って複数の候補経路上の復号化結果を獲得し、前記複数の候補経路上の前記復号化結果に対してＣＲＣを行うよう前記ＣＲＣを適用して、経路上で前記ＣＲＣにパスした場合の当該経路の復号化結果及びＣＲＣ結果、並びに、最善経路のＣＲＣ結果を獲得するよう構成された第１の復号化処理装置であって、前記最善経路が、ビタビ復号化アルゴリズムを採用することによって判定された最大尤度経路である第１の復号化処理装置と、
前記ビタビ復号化アルゴリズムを採用することにより、前記第２のサブストリームに対して復号化処理を行って復号化結果を獲得するよう構成された第２の復号化処理装置と、
前記ビタビ復号化アルゴリズムを採用することにより、前記第３のサブストリームに対して復号化処理を行って復号化結果を獲得するよう構成された第３の復号化処理装置と
を備え、
前記第１の送出モジュールは、
前記第１の復号化処理装置によって獲得された、前記経路上で前記ＣＲＣにパスした場合の当該経路の復号化結果及びＣＲＣ結果、並びに、前記最善経路のＣＲＣ結果を、前記基地局制御装置に送出するので、前記基地局制御装置が、前記最善経路の前記ＣＲＣ結果を外側ループ電力制御モジュールに送出し、前記経路上で前記ＣＲＣにパスした場合の当該経路の前記復号化結果及び前記ＣＲＣ結果をコア・ネットワークに送出するよう構成された第１の送出装置と、
前記第２の復号化処理装置によって獲得された前記復号化結果を前記基地局制御装置に送出するよう構成された第２の送出装置と、
前記第３の復号化処理装置によって獲得された前記復号化結果を前記基地局制御装置に送出するよう構成された第３の送出装置とを備える
基地局。
【請求項９】
請求項８記載の基地局であって、
前記第１のサブストリームが占めるチャネル・リソースを削減し、前記第２のサブストリーム及び前記第３のサブストリームが占めるチャネル・リソースを増加させるよう構成されたチャネル・リソース制御モジュールを更に備える基地局。
【請求項１０】
請求項８記載の基地局であって、
前記基地局制御装置によって送出される目標信号対干渉雑音比を受信し、前記目標信号対干渉雑音比に応じて、内側ループ電力制御を行うよう構成された内側ループ電力制御モジュール
を更に備える基地局。
【請求項１１】
基地局制御装置であって、
第１のサブストリーム、第２のサブストリーム、及び第３のサブストリームの復号化結果であり、基地局によって送出される復号化結果を受信するよう構成された第２の受信モジュールであって、前記第１のサブストリームの前記復号化結果は、巡回冗長チェック（ＣＲＣ）の補助決定に基づいた復号化アルゴリズムを採用することにより、復号化処理が行われた後に獲得された復号化結果であり、前記復号化結果が、前記第１のサブストリームに対応する復号化ビット・ストリーム、及び前記ＣＲＣに基づいたＣＲＣ結果を含む第２の受信モジュールと、
前記ＣＲＣ結果を外側ループ電力制御モジュールに送出し、前記第１のサブストリームの前記ＣＲＣ結果及び前記復号化ビット・ストリーム、並びに、前記第２のサブストリーム及び前記第３のサブストリームの前記復号化結果をコア・ネットワークに送出するよう構成された第２の送出モジュールと
を備え、
前記ＣＲＣ結果は、経路上で前記ＣＲＣにパスした場合の当該経路のＣＲＣ結果、及び最善経路のＣＲＣ結果を含み、前記復号化ビット・ストリームは、経路上で前記ＣＲＣにパスした場合の当該経路の復号化ビット・ストリームであり、前記最善経路はビタビ復号化アルゴリズムを採用することによって判定される最大尤度経路であり、
前記第２の送出モジュールは、
前記最善経路の前記ＣＲＣ結果を前記外側ループ電力制御モジュールに送出するよう構成された第４の送出装置と、
前記経路上で前記ＣＲＣにパスした場合の当該経路の前記復号化ビット・ストリーム及び前記ＣＲＣ結果を前記コア・ネットワークに送出し、前記第２のサブストリーム及び前記第３のサブストリームの前記復号化結果を前記コア・ネットワークに送出するよう構成された第５の送出装置と
を備える基地局制御装置。
【請求項１２】
請求項１１記載の基地局制御装置であって、
前記基地局が、前記第１のサブストリームが占めるチャネル・リソースを削減し、前記第２のサブストリーム及び前記第３のサブストリームが占めるチャネル・リソースを増加させる旨を指示するよう構成された指示モジュール、又は
前記外側ル―プ電力制御モジュールの目標ブロック誤り率を削減して、目標信号対干渉雑音比を削減し、前記削減された目標信号対干渉雑音比を前記基地局に送出するよう前記外側ル―プ電力制御モジュールをイネーブルするよう構成されたパラメータ制御モジュール
を更に備える基地局制御装置。
【請求項１３】
プログラムを記憶させたコンピュータ読み取り可能な記憶媒体であって、前記プログラムは、請求項１乃至７の何れか一項に記載の方法をコンピュータに実行させるコンピュータ読み取り可能な記憶媒体。
【発明の詳細な説明】
【技術分野】
【０００１】
本発明の実施例は通信の分野に関し、特に、音声信号処理のための方法、装置、及びアクセス・ネットワーク・システムに関する。
【背景技術】
【０００２】
既存の通信システムにおいて（、例えば、ユニバーサル移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ。以降、ＵＭＴＳとして表す）において）、音声符号化はチャネル符号化として大量の畳込み符号を採用し、その音声品質を保証するために電力制御機構を利用する。図１は、従来技術における音声符号化処理のシステム・アーキテクチャの概略図である。図１に示すように、ＵＭＴＳネットワークを例にとれば、アップリンク適応マルチレート（Ａｄａｐｔｉｖｅ  Ｍｕｌｔｉ−Ｒａｔｅ。以降、ＡＭＲとして表す）音声信号の処理過程は、ユーザ装置（Ｕｓｅｒ  Ｅｑｕｉｐｍｅｎｔ。以降、ＵＥとして表す）におけるＡＭＲ音声符号化器（以降、ＡＭＲ音声符号化器として表す）が、符号化処理を行うために、畳込み符号符号化器（Ｃｏｎｖｏｌｕｔｉｏｎａｌ  Ｃｏｄｅ  Ｅｎｃｏｄｅｒ。以降、ＣＣ符号化器として表す）により、畳込み符号を採用し、ＣＣ符号化器の符号化後のＡＭＲ音声信号が、エア・インタフェースを介して基地局（以降、ノードＢとして表す）に送られ、ノードＢにおけるＣＣ復号化器（以降、ＣＣ復号化器として表す）により、ＡＭＲ音声信号を復号化することが可能であり、ＣＣ復号化器は２つの出力を含む。一方の出力では、復号化ビット・ストリームはＩｕｂインタフェースを介して無線ネットワーク制御装置（Ｒａｄｉｏ  Ｎｅｔｗｏｒｋ  Ｃｏｎｔｒｏｌｌｅｒ。以降、ＲＮＣとして表す）に送出され、次いで、Ｉｕインタフェースを介してコア・ネットワーク（Ｃｏｒｅ  Ｎｅｔｗｏｒｋ。以降、ＣＮとして表す）におけるＡＭＲ音声復号化器（以降、ＡＭＲ音声復号化器として表す）にＲＮＣによって送出される。他方の出力では、巡回冗長チェック（Ｃｙｃｌｉｃ  Ｒｅｄｕｎｄａｎｃｙ  Ｃｈｅｃｋ。以降、ＣＲＣとして表す）の結果、すなわち、ＣＲＣインジケータ（ＣＲＣ  Ｉｎｄｉｃａｔｏｒ。以降、ＣＲＣＩとして表す）はＩｕｂインタフェースを介してＲＮＣに送出され、ＲＮＣは次いで、ＣＲＣＩに応じてＩｕインタフェースを介してＣＮにおけるＡＭＲ音声復号化器に不良フレーム・インジケータ（Ｂａｄ  Ｆｒａｍｅ  Ｉｎｄｉｃａｔｏｒ。以降、ＢＦＩとして表す）を送出することが可能である。ＣＣ復号化器は更に、ＲＮＣにおける外側ループ電力制御（以降、外側ループ電力制御として表す）にＣＲＣＩを送出する。復号化ビット・ストリーム及びＢＦＩを受信した後、ＡＭＲ音声復号化器は復号化処理を行うことが可能である一方、外側ループ電力制御は、ＣＲＣＩに応じて目標ブロック誤り率（Ｂｌｏｃｋ  Ｅｒｒｏｒ  Ｒａｔｉｏ。以降、ＢＬＥＲとして表す）を調節し、調節されたＢＬＥＲに応じて、ノードＢにおける内側ループ電力制御（以降、内側ループ電力制御として表す）に目標信号対干渉雑音比（以降、目標ＳＩＮＲとして表す）を送出し得る。内側ループ電力制御は、ＵＥの送信電力を調節するために、測定された信号対干渉雑音比（以降、測定ＳＩＮＲとして表す）及び目標ＳＩＮＲに応じて、電力コマンド（以降、電力コマンドとして表す）をＵＥの電力送信器（以降、電力送信器）に送る。図２は、図１に示すシステム・アーキテクチャにおける３つのサブシステム��処理する概略構造図である。図２に示すように、従来技術では、ＡＭＲ音声信号は３つのサブストリーム、Ａ、Ｂ、及びＣ、すなわち、クラスＡ信号、クラスＢ信号、及びクラスＣ信号に分類し得る。サブストリームＡは、音声品質に対して最も強い影響を及ぼし、更に、最も重要である。そのデータ・ブロックの後に１２ビットＣＲＣが付加されている。サブストリームＢ及びＣは重要度が比較的低く、データ・ブロックに後続するＣＲＣはない。ノードＢにおけるＣＣ復号化器は、ビタビ・アルゴリズム（Ｖｉｔｅｒｂｉ  Ａｌｇｏｒｉｔｈｍ。以降、ＶＡとして表す）復号化器を採用している一方、ＶＡ復号化器の復号化結果においては、サブストリームＡのみがＣＲＣＩを有する。
【発明の概要】
【発明が解決しようとする課題】
【０００３】
しかし、本発明の実現過程の間に、本発明者は、従来技術においてノ―ドＢが、音声品質に対して比較的強い影響を及ぼすサブストリームＡの畳込み符号について比較的低い復号化性能を有しており、音声品質に対するユーザの高い要求を満たすことができないということを見出した。
【課題を解決するための手段】
【０００４】
本発明の実施例は、音声信号の処理のための方法、装置、及びアクセス・ネットワーク・システムを提供して、サブストリームＡの畳込み符号の復号化性能を向上させる。
【０００５】
本発明の実施例は、
ユーザ装置、ＵＥ、によって送出された符号化音声信号を受信する工程であって、符号化音声信号は、第１のサブストリーム、第２のサブストリーム、及び第３のサブストリームを含み、第１のサブストリームは巡回冗長チェック、ＣＲＣを含む工程と、
第１のサブストリーム、第２のサブストリーム、及び第３のサブストリームに対して復号化処理を行う工程であって、ＣＲＣの補助決定に基づいた復号化アルゴリズムが、第１のサブストリームに対して復号化処理を行うために採用される工程と、
第１のサブストリーム、第２のサブストリーム、及び第３のサブストリームの復号化結果を基地局制御装置に送出する工程であって、第１のサブストリームの復号化結果が、復号化ビット・ストリーム、及びＣＲＣ結果を含む工程と
を含む音声信号処理方法を提供する。
【０００６】
本発明の実施例は、
第１のサブストリーム、第２のサブストリーム、及び第３のサブストリームの復号化結果であり、基地局によって送出される復号化結果を受信する工程であって、第１のサブストリームの復号化結果は、巡回冗長チェック、ＣＲＣの補助決定に基づいた復号化アルゴリズムを採用することにより、復号化処理が行われた後に獲得された復号化結果である工程と、
ＣＲＣ結果を外部ループ電力制御モジュールに送出し、第１のサブストリームのＣＲＣ結果、復号化された・ビットストリーム、及び、第２のサブストリーム及び第３のサブストリームの復号化結果をコア・ネットワークに送出する工程とを含む別の音声信号処理方法を提供する。
【０００７】
本発明の実施例は、
ユーザ装置、ＵＥによって送出された符号化音声信号を受信するよう構成された第１の受信モジュールであって、符号化音声信号は、第１のサブストリーム、第２のサブストリーム、及び第３のサブストリームを含み、第１のサブストリームは巡回冗長チェック、ＣＲＣを含む第１の受信モジュールと、
復号化アルゴリズムを採用することにより、第１のサブストリーム、第２のサブストリーム、及び第３のサブストリームに対して復号化処理を行うよう構成された復号化処理モジュールであって、ＣＲＣの補助決定に基づいた復号化アルゴリズムが、第１のサブストリームに対して復号化処理を行うために採用される復号化処理モジュールと、
第１のサブストリーム、第２のサブストリーム、及び第３のサブストリームの復号化結果を基地局コントローラに送出するよう構成された第１の送出モジュールであって、第１のサブストリームの復号化結果が、復号化ビット・ストリーム及びＣＲＣ結果を含む第１の送出モジュールとを備える基地局を提供する。
【０００８】
本発明の実施例は、
第１のサブストリーム、第２のサブストリーム、及び第３のサブストリームの復号化結果であり、基地局によって送出される復号化結果を受信するよう構成された第２の受信モジュールであって、第１のサブストリームの復号化結果は、巡回冗長チェック、ＣＲＣの補助決定に基づいた復号化アルゴリズムを採用することにより、復号化処理が行われた後に獲得された復号化結果であり、復号化結果が、復号化ビット・ストリーム及びＣＲＣ結果を含む第２の受信モジュールと、
ＣＲＣ結果を外部ループ電力制御モジュールに送出し、第１のサブストリームのＣＲＣ結果、復号化ビット・ストリーム、並びに、第２のサブストリーム及び第３のサブストリームの復号化結果をコア・ネットワークに送出するよう構成された第２の送出モジュールと
を備える基地局制御装置を提供する。
【０００９】
本発明の実施例は、基地局及び基地局制御装置を含むアクセス・ネットワーク・システムを提供し、基地局は上記基地局を採用し、基地局制御装置は上記基地局制御装置を採用する。
【００１０】
本発明の実施例では、基地局は、第１のサブストリームに対して復号化処理を行うために、ＣＲＣの補助決定に基づき、従来技術における通常のＶＡ復号化アルゴリズムを採用することによって行われる復号化処理と比較される復号化アルゴリズムを採用することが可能であり、第１のサブストリームの復号化性能を向上させることが可能である。第１のサブストリームは音声品質にとって比較的重要なので、本発明の実施例は、第１のサブストリームの復号化性能を向上させることにより、音声品質を向上させることが可能であり、音声品質に対するユーザのより高い要求を満たす。
【００１１】
本発明の実施例における、又は従来技術における技術的解決策をより明確に例示するために、実施例又は従来技術を説明するために必要な添付図面について以下に簡単に触れる。明らかに、以下の説明における添付図面は、本発明の一部の実施例に過ぎず、当業者は、創作的な努力なしで前述の添付図面により、他の図面を更に導き出すことが可能である。
【図面の簡単な説明】
【００１２】
【図１】従来技術における音声符号化処理のシステム・アーキテクチャの概略図である。
【図２】図１に示すシステム・アーキテクチャにおける３つのサブストリームの処理の概略構造図である。
【図３】本発明による音声信号処理の第１の方法の実施例のフローチャートである。
【図４】本発明による音声信号処理の方法の実施例において使用されるＰＬＶＡの概略構造図である。
【図５】本発明による音声信号処理の方法の実施例において使用される別のＰＬＶＡ復号化器の概略構造図である。
【図６】本発明による音声信号処理の第２の方法の実施例のフローチャートである。
【図７】本発明による音声信号処理の第３の方法の実施例のフローチャートである。
【図８】本発明による音声信号処理の第４の方法の実施例のフローチャートである。
【図９】図８に示す第４の方法の実施例における３つのサブストリームの処理の概略構造図である。
【図１０】本発明による音声信号処理の第５の方法の実施例のフローチャートである。
【図１１】本発明による音声信号処理の第６の方法の実施例のフローチャートである。
【図１２】本発明による基地局の第１の実施例の概略構造図である。
【図１３】本発明による基地局の第２の実施例の概略構造図である。
【図１４】本発明による基地局の第３の実施例の概略構造図である。
【図１５】本発明による基地局の第４の実施例の概略構造図である。
【図１６】本発明による基地局制御装置の第１の実施例の概略構造図である。
【図１７】本発明による基地局制御装置の第２の実施例の概略構造図である。
【図１８】本発明による基地局制御装置の第３の実施例の概略構造図である。
【図１９】本発明による基地局制御装置の第４の実施例の概略構造図である。
【図２０】本発明によるアクセス・ネットワーク・システムの実施例の概略構造図である。
【発明を実施するための形態】
【００１３】
本発明の目的、技術的解決策、及び利点をより明確にするために、本発明の実施例における技術的解決策は、本発明の実施例において添付図面を参照して、以下に明確かつ完全に説明している。明らかに、説明する対象の実施例は、本発明の実施例全てでなく、本発明の実施例の一部に過ぎない。創作的な労力なしで本発明の実施例に基づいて当業者によって得られる他の実施例は全て、本発明の保護範囲内に収まる。
【実施例】
【００１４】
本発明の技術的解決策は、グローバル移動通信システム（Ｇｌｏｂａｌ  Ｓｙｓｔｅｍ  ｆｏｒ  Ｍｏｂｉｌｅ  Ｃｏｍｍｕｎｉｃａｔｉｏｎｓ。以降、ＧＳＭ（登録商標）として表す）、符号分割多元アクセス（Ｃｏｄｅ  Ｄｉｖｉｓｉｏｎ  Ｍｕｌｔｉｐｌｅ  Ａｃｃｅｓｓ。以降、ＣＤＭＡとして表す）システム、広帯域符号分割多元アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ。以降、ＷＣＤＭＡ（登録商標）として表す）システム、及びロング・ターム・エボリューション（Ｌｏｎｇ  Ｔｅｒｍ  Ｅｖｏｌｕｔｉｏｎ、以降、ＬＴＥとして表す）システムなどの種々の通信システムに適用することが可能である。説明の便宜上、例証のために以下の実施例においてＷＣＤＭＡを例にとる。
【００１５】
基地局は、ＣＤＭＡでは基地局（Ｂａｓｅ  Ｔｒａｎｓｃｅｉｖｅｒ  Ｓｔａｔｉｏｎ。以降、ＢＴＳとして表す）であり得、ＷＣＤＭＡでも基地局ノードＢであり得、ＬＴＥでもエボルブドノードＢ（Ｅｖｏｌｖｅｄ  Ｎｏｄｅ  Ｂ。以降、ｅＮＢ又はｅノードＢとして表す）であり得るが、本発明においてそれに限定されない一方、例証を簡単にするために、以下の実施例における例証のためにノードＢを例にとる。
【００１６】
基地局制御装置は、ＣＤＭＡでは基地局制御装置（Ｂａｓｅ  Ｓｔａｔｉｏｎ  Ｃｏｎｔｒｏｌｌｅｒ。以降、ＢＳＣとして表す）であり得、ＷＣＤＭＡでもＲＮＣであり得、本発明においてそれに限定されない一方、例示を簡単にするために、以下の実施例における例証のためにＲＮＣを例にとる。
【００１７】
図３は、本発明による音声信号処理の第１の方法の実施例のフローチャートである。図３に示すように、本実施例の方法は、図１のノードＢのＣＣ復号化器によって実行された方法の改良であり、本実施例の方法は、
工程３０１：ＵＥによって送出された符号化音声信号を受信し、符号化音声信号は、第１のサブストリーム、第２のサブストリーム、及び第３のサブストリームを含み、第１のサブストリームは巡回冗長チェックＣＲＣを含む。
【００１８】
例えば、ノードＢは特に、ノードＢにおけるＣＣ復号化器であり得、ＵＥによって送出された符号化音声信号を受信する。符号化音声信号は次いで、図１においてＣＣ符号化器により、符号化処理が行われた後のＡＭＲ音声信号であり得る。ＡＭＲ音声信号は次いで、図２において、３つのサブストリームＡ、Ｂ、及びＣを含み得、これはそれぞれ、第１のサブストリーム、第２のサブストリーム、及び第３のサブストリームに対応する。第１のサブストリーム、すなわち、サブストリームＡはＣＲＣを含む。
【００１９】
工程３０２：復号化アルゴリズムを採用することにより、第１のサブストリーム、第２のサブストリーム、及び第３のサブストリームに対して復号化処理を行い、ＣＲＣの補助決定に基づいた復号化アルゴリズムは、第１のサブストリームに対して復号化処理を行うために採用される。
【００２０】
ノードＢは特に、ノードＢにおけるＣＣ復号化器であり得、第１のサブストリーム、第２のサブストリーム、及び第３のサブストリームそれぞれに対して復号化処理を行うために復号化アルゴリズムを採用し得る。従来技術におけるノードＢによる、第１のサブストリーム、すなわち、サブストリームＡに対する畳込み復号化の性能を向上させるために、本実施例では、ＣＲＣの補助決定に基づいた復号化アルゴリズムは、第１のサブストリーム、すなわち、サブストリームＡに対して復号化処理を行うために採用される。第２のサブストリームも第３のサブストリームもＣＲＣを含まない一方で、ＣＲＣの補助決定に基づいた復号化アルゴリズムはＣＲＣの補助決定を必要とするので、従来技術におけるＶＡ復号化器は、第２のサブストリーム及び第３のサブストリーム、すなわち、サブストリームＢ及びサブストリームＣに対して復号化処理を行うよう適合され得る。
【００２１】
特に、本発明者は、ＣＲＣの補助決定に基づく復号化アルゴリズムが畳込み符号の復号化性能を効果的に向上させ得るということを研究によって見出している。その基本原理は、複数の大局的な最善候補経路がビタビ・アルゴリズムによって出力され、ＣＲＣにより、前述の経路に対応する復号化結果に対してそれぞれ、ＣＲＣが行われるというものである。正しいＣＲＣ結果を伴う復号化結果が最終結果として選ばれ、経路全てに対応する復号化結果がＣＲＣにパスすることができなかった場合、最善経路の復号化結果が最終結果として出力される。復号化アルゴリズムは、最善経路を含む複数の経路から選ぶことが可能であるので、性能は、最善経路のみを選ぶ通常のビタビ・アルゴリズムの性能よりも良好である。研究及びシミュレーションにより、１％ＢＬＥＲ条件では、ＣＲＣの補助決定に基づいた復号化アルゴリズムが、４つの候補経路の並列リスト・ビタビ復号化アルゴリズム（Ｐａｒａｌｌｅｌ  Ｌｉｓｔ  Ｖｉｔｅｒｂｉ  Ａｌｇｏｒｉｙｈｍ−４。以降、ＰＬＶＡ−４として表す）であるという例をとれば、復号化性能は、ＶＡ復号化性能よりも約０．２ｄＢ乃至０．８ｄＢ高い。
【００２２】
工程３０３：第１のサブストリーム、第２のサブストリーム、及び第３のサブストリームの復号化結果を基地局制御装置に送出し、第１のサブストリームの復号化結果は復号化ビット・ストリーム及びＣＲＣ結果を含む。
【００２３】
工程３０２において実行された復号化処理が終了した後、ノ―ドＢ、特に、ノードＢにあるＣＣ復号化器は、次いで、復号化結果を基地局制御装置、例えば、ＲＮＣに送出し得るので、ＲＮＣは、図２に示す態様でＣＮにおけるＡＭＲ音声復号化器に復号化結果を送出するようイネーブルすることが可能である一方、第１のサブストリームの復号化結果に含まれるＣＲＣ結果は、ＲＮＣにおける外側ループ電力制御に送出することが可能である。後続実現過程は、従来技術におけるものと同じであり、ここでは再度、繰り返し説明しないものとする。
【００２４】
本実施例では、基地局は、第１のサブストリームに対して復号化処理を行うために、ＣＲＣの補助決定に基づき、従来技術における通常のＶＡ復号化アルゴリズムを採用することによって行われる復号化処理と比較される復号化アルゴリズムを採用し得、第１のサブストリームに対する復号化性能を向上させることが可能である。第１のサブストリームは音声品質に比較的重要であるので、本実施例では、第１のサブストリームの復号化性能を向上させて、音声品質を向上させ、音声品質に対するユーザの、より高い要求を満たすことが可能である。
【００２５】
更に、ＣＲＣの補助決定に基づき、上記実施例において使用される復号化アルゴリズムは、リスト・ビタビ復号化アルゴリズム（Ｌｉｓｔ  Ｖｉｔｅｒｂｉ  Ａｌｇｏｒｉｔｈｍ。以降、ＬＶＡとして表す）、又はビット反転復号化アルゴリズムであり得る。更に、ＰＬＶＡ、又は直列ＬＶＡ（Ｓｅｒｉａｌ  ＬＶＡ。以降、ＳＬＶＡとして表す）は上記実施例において好適であり得る。
【００２６】
図４は、本発明による音声信号処理の方法の実施例において使用されるＰＬＶＡの概略構造図である。図４に示すように、ＰＬＶＡ復号化器は、ＶＡ復号化器、及びＣＲＣ及び選択（ＣＲＣ  Ｃｈｅｃｋ＆Ｃｈｏｏｓｅ）モジュールを含む。ＶＡ復号化器は、Ｋ個の候補経路、すなわち、Ｐａｔｈ（経路）１乃至Ｐａｔｈ（経路）Ｋを含む。サブストリームＡがＶＡ復号化器に入力される。ＶＡ復号化器は、ビタビ・アルゴリズムを採用することにより、Ｋ個の大局最善候補経路Ｐａｔｈ１乃至ＰａｔｈＫを出力し得る。ＣＲＣ及び選択モジュールは、サブストリームＡに含まれるＣＲＣにより、Ｐａｔｈ１乃至ＰａｔｈＫに対応する復号化結果それぞれに対してＣＲＣを行い、例えば、最終結果としてＰａｔｈ２に対応する復号化結果を選んで、正しいＣＲＣ結果を伴う復号化結果を最終復号化結果として選ぶことが可能である。Ｐａｔｈ１乃至ＰａｔｈＫに対応する復号化結果の何れもＣＲＣをパスすることが可能でない場合、すなわち、復号化結果全てが誤っている場合、最善経路の復号化結果が最終復号化結果として出力される。例えば、最善経路をＰａｔｈ１に予め設定することができ、その場合、最善経路は、ＶＡアルゴリズムを採用することによって求められる最大尤度経路である。最後に、ＣＲＣ及び選択モジュールは、ＰＬＶＡ  ＣＲＣインジケータ（ＰＬＶＡ  ＣＲＣ  Ｉｎｄｉｃａｔｏｒ。  以降、ＰＬＶＡ  ＣＲＣＩとして表す）及びＰＬＶＡ復号化ビット・ストリームをＲＮＣに対して出力することが可能である。
【００２７】
更に、上記実施例では、ＰＬＶＡ−４が好ましい。採用されるＰＬＶＡ−４は、現在の性能利得と複雑度との間の妥協の結果である。候補経路数Ｋ＞４の場合、性能利得はそれほど増加しないが、Ｋが更に大きい場合、ＣＲＣの脱落の確率が増加するということを示す。ＰＬＶＡ−２、ＰＬＶＡ−６、ＰＬＶＡ−８、ＰＬＶＡ−１２、ＰＬＶＡ−１６も上記実施例において使用することが可能であるということを当業者は理解し得る。更に、ＣＲＣの補助決定に基づいた復号化アルゴリズムは、同様の実現原理を有し、再びここで繰り返して説明しないものとする、ＳＬＶＡ及びビット反転復号化アルゴリズムなどの他のアルゴリズムも採用し得るということを当業者は理解し得る。
【００２８】
図３に示す上記実施例に基づいて、基地局における共通のＶＡ復号化器が、ＣＲＣの補助決定に基づいた復号化器により、直接置き換えられ、例えば、ＰＬＶＡ復号化器により、直接置き換えられ、それは、第１のサブストリーム、すなわち、サブストリームＡの復号化性能を実際に向上させることが可能である一方、音声の平均オピニオン評点（Ｍｅａｎ  Ｏｐｉｎｉｏｎ  Ｓｃｏｒｅ。以降、ＭＯＳとして表す）を減少させるということを本発明者は見出している。具体的には、外側ループ電力制御において、１つの同じ目標ＢＬＥＲ（以降、目標ＢＬＥＲとして表す）が、サブストリームＡ、サブストリームＢ、及びサブストリームＣについて予め設定される。サブストリームＡの復号化性能が向上すると、サブストリームＡのＢＬＥＲは、外側ループ電力制御によって設定された目標ＢＬＥＲよりも低い。したがって、外部ループ電力制御はＡＭＲ電力を削減する必要がある。しかし、ＡＭＲ電力が削減されると、最終結果は、サブストリームＡのＢＬＥＲが変わらないままである一方、サブストリームＢ及びＣのＢＬＥＲは増加するので、音声のＭＯＳ評点が削減され、実験は、ＡＭＲ電力が０．３ｄＢだけ、削減され、ＭＯＳ評点が約０．１だけ、削減されるということを示す。
【００２９】
図３に示す実施例の技術的解決策が採用された場合にＭＯＳ評点が減少することを避けるために、本発明の実施例は、３つの解決策を提供し、前述の３つの解決策は以下に詳細を示す。
【００３０】
解決策１：外側ループ電力制御の目標ブロック誤り率を削減する。
【００３１】
外側ループ電力制御の目標ＢＬＥＲを削減するために、外部ループ電力制御はサブストリームＡの目標ＳＩＮＲを削減するようイネーブルし得、サブストリームＢ及びＣのＢＬＥＲは変わらないままであり得る。したがって、解決策は、ＡＭＲ電力を削減するために外側ループ電力制御を必要としないので、音声のＭＯＳ評点は削減されない。
【００３２】
解決策の利点は、製品コードを修正する必要がなく、外側ループ電力制御の目標ＢＬＥＲのみを修正する必要があるという点にある。
【００３３】
解決策２：第１のサブストリームが占めるチャネル・リソースを削減し、第２のサブストリーム及び第３のサブストリームが占めるチャネル・リソースを増加させる。
【００３４】
特定の実現形態では、第１のサブストリームが占めるチャネル・リソースを削減することが可能であり、第２のサブストリーム及び第３のサブストリームが占めるチャネル・リソースは、サブストリームＡのレート・マッチング・パラメータを削減し、サブストリームＢ及びサブストリームＣのレート・マッチング・パラメータを増加させることによって増加させることが可能である。当業者は、第１のサブストリームが占めるチャネル・リソースを削減し、第２のサブストリーム及び第３のサブストリームが占めるチャネル・リソースを増加させるという目的を達成することが可能である限り、３つのサブストリームのチャネル・リソースを再構成するための他の方策も採用し得る。
【００３５】
上記解決策では、サブストリームＡ、Ｂ、及びＣのレート・マッチング・パラメータを再構成することにより、サブストリームＡのレート・マッチング・パラメータが、削減されるようイネーブルされ、サブストリームＢ及びＣのレート・マッチング・パラメータが、増加するようイネーブルされて、サブストリームＡの伝送リソースの一部をサブストリームＢ及びＣに移し、よって、３つのサブストリームは、ＰＬＶＡ下での新たなバランスに達するようイネーブルされ、それにより、ＭＯＳ評点の減少が避けられる。
【００３６】
上記解決策の利点は、製品に対して行われる変更が少ないという点にある。本発明の実施例は更に、別の技術的解決策を提供する。
【００３７】
解決策３：２つのＣＲＣが通知される技術的解決策を採用する。
【００３８】
技術的解決策では、基地局は、複数の候補経路上の復号化結果を獲得するために、ＣＲＣの補助決定に基づいた復号化アルゴリズムを採用することが可能である。正しいＣＲＣ結果を有する経路上の復号化結果、正しい経路のＣＲＣ結果、及び最善経路のＣＲＣ結果を獲得するために、複数の候補経路上の復号化結果に対してＣＲＣを行うよう、第１のサブストリームに含まれるＣＲＣが適用される。次いで、基地局は、正しい経路上の復号化結果、正しい経路のＣＲＣ結果、及び最善経路のチェック結果を基地局制御装置に送出することが可能であるので、基地局制御装置は最善経路のチェック結果を外側ループ電力制御モジュールに送出し、正しい経路上の復号化結果をコア・ネットワークに送出し、正しい経路のＣＲＣ結果に応じて、不良フレーム・インジケータをコア・ネットワークに送出する。
【００３９】
ＣＲＣの補助決定に基づいた復号化アルゴリズムがＰＬＶＡである例をとれば、図５は、本発明による音声信号処理の方法の実施例において使用される別のＰＬＶＡ復号化器の概略構造図である。図５に示すように、図４に示すＰＬＶＡ復号化器と比較して、ＰＬＶＡ復号化器は３つの出力を含み得る。３つの出力は、ＶＡ  ＣＲＣＩ、  ＰＬＶＡ  ＣＲＣＩ、及びＰＬＶＡ復号化ビット・ストリームを含む。ＶＡ  ＣＲＣＩは最善経路のＣＲＣ結果であり、最善経路は予め設定された経路、例えば、Ｐａｔｈ１である一方、ＶＡ復号器によって出力されるＣＲＣＩ及びＶＡ  ＣＲＣＩは同等である。ＰＬＶＡ  ＣＲＣＩは正しい経路のＣＲＣ結果であり、正しい経路は最善経路と同じであり得、例えば、正しい経路も最善経路もＰａｔｈ１であり、この際に、ＰＬＶＡ  ＣＲＣＩ及びＶＡ  ＣＲＣＩは同じである。更に、正しい経路は最善経路と異なっていてもよく、例えば、正しい経路はＰａｔｈ２であり、その場合、ＰＬＶＡ  ＣＲＣＩはＰａｔｈ２のチェック結果であり、ＰＬＶＡ復号化ビット・ストリームは正しい経路の復号化結果である。候補経路における経路全てが誤っている場合、ＰＬＶＡ復号化器のＣＲＣ＆選択モジュールは更に、最善経路のＣＲＣ結果であり、すなわち、ＰＬＶＡの３つの出力はそれぞれ、最善経路の復号化結果、最善経路のＣＲＣ結果、及び最善経路のＣＲＣ結果であり、この際に、ＰＬＶＡ復号化器はＶＡ復号化器と同等である。外側ループ電力制御はなお、ＶＡ  ＣＲＣＩを使用する一方、ＰＬＶＡ  ＣＲＣＩはＡＭＲ音声復号化器に送出され、音声フレームが利用可能であるか否かを示すために使用される。
【００４０】
最善経路に対応する復号化結果が正しい場合、ＶＡ復号化の結果及びＰＬＶＡ復号化の結果は同じであり、２つのＣＲＣ結果は何れも正しく、最善経路に対応する復号化結果が誤っており、他の候補経路に対応する復号化結果が正しい場合、ＶＡ  ＣＲＣ結果は誤っており、ＰＬＶＡ  ＣＲＣ結果は正しく、ＰＬＶＡは正しい復号化結果を出力し、候補経路全てに対応する復号化結果が誤っている場合、ＰＬＶＡは、最善経路に対応する復号化結果を出力するというＰＬＶＡの原理の上記説明から分かり得る。したがって、ＶＡ  ＣＲＣ結果が正しい場合、ＰＬＶＡのＣＲＣ結果は明確に正しい。ところが、ＰＬＶＡ  ＣＲＣ結果は正しいが、ＶＡ  ＣＲＣ結果は必ずしも正しい訳でない。
【００４１】
次いで、ノードＢとＲＮＣとの間のＩｕｂインタフェースを介して、ノードＢはＶＡ  ＣＲＣＩ及びＰＬＶＡ  ＣＲＣＩをＲＮＣに送出することが可能である。ＲＮＣは、ＶＡ  ＣＲＣＩを利用して外側ループ電力制御を行うことが可能であり、ＰＬＶＡ  ＣＲＣＩによれば、対応する音声フレームが正しいか否かを示すために、ＢＦＩをＲＮＣにより、ＣＮに送出することが可能である。ノードＢは、更に、ＰＬＶＡ復号化サブストリームＡ、ＶＡ復号化によって得られたサブストリームＢ及びＣに対してフレーム化を行い、フレーム化結果をＡＭＲ音声復号化器に送出することが可能である。
【００４２】
ＡＭＲ音声復号化器は、３つのサブストリームを含む受信されたＡＭＲ音声信号、及び受信された対応するＢＦＩインジケータに応じて音声復号化を行うことが可能である。ＲＮＣの外側ループ電力制御モジュールは、従来技術を採用することによって実現することが可能であり、再びここで繰り返し説明しないものとする、ＰＬＶＡによって出力されるＶＡ  ＣＲＣＩに応じた電力制御を行うことが可能である。
【００４３】
上記３つの技術的解決策は、以下における特定の３つの実施例を採用することにより、詳細に示す。
【００４４】
図６は、本発明による音声信号処理の第２の方法の実施例のフローチャートである。図６に示すように、本実施例の方法は、上記第１の解決策を実現するために使用される。本実施例の方法は、以下を含み得る。
【００４５】
工程６０１：ＵＥによって送出された符号化音声信号を受信し、符号化音声信号は、第１のサブストリーム、第２のサブストリーム、及び第３のサブストリームを含み、第１のサブストリームはＣＲＣを含む。
【００４６】
工程６０２：復号化アルゴリズムを採用することにより、第１のサブストリーム、第２のサブストリーム、及び第３のサブストリームに対して復号化処理を行い、ＣＲＣの補助決定に基づいた復号化アルゴリズムが、第１のサブストリームに対して復号化処理を行うために採用される。
【００４７】
工程６０３：第１のサブストリーム、第２のサブストリーム、及び第３のサブストリームの復号化結果を基地局制御装置に送出し、第１のサブストリームの復号化結果が復号化ビット・ストリーム、及びＣＲＣ結果を含む。
【００４８】
上記工程６０１乃至工程６０３の実現原理は、図３に示す方法の実施例における工程３０１乃至工程３０３の実現原理と同様であり、ここでは再び繰り返し説明しないものとする。
【００４９】
工程６０４：基地局制御装置によって送出される削減された目標信号対干渉雑音比を受信する。
【００５０】
工程６０５：目標信号対干渉雑音比に応じて、内側ループ電力制御を行う。
【００５１】
工程６０４及び工程６０５は特に、ノードＢにおいて内側ループ電力制御モジュールによって実行し得る。
【００５２】
本実施例では、外側ループ電力制御の目標ＢＬＥＲを削減することにより、第１のサブストリームの目標ＳＩＮＲを削減するために外側ループ電力制御をイネーブルすることが可能であり、第２のサブストリーム及び第３のサブストリームのＢＬＥＲを、変わらないままにし得る。したがって、解決策は、ＡＭＲ電力を削減するために外側ループ電力制御を必要としないので、したがって、音声のＭＯＳ評点は削減されない。更に、本実施例では、製品コードは修正しなくてよく、外側ループ電力制御の目標ＢＬＥＲのみを修正すればよく、これは実現することが簡単である。
【００５３】
図７は、本発明による音声信号処理の第３の方法の実施例のフローチャートである。図７に示すように、本実施例の方法は、以下を含み得る。
【００５４】
工程７０１：ＵＥによって送出された符号化音声信号を受信し、符号化音声信号は、第１のサブストリーム、第２のサブストリーム、及び第３のサブストリームを含み、第１のサブストリームはＣＲＣを含む。
【００５５】
工程７０２：復号化アルゴリズムを採用することにより、第１のサブストリーム、第２のサブストリーム、及び第３のサブストリームに対して復号化処理を行い、ＣＲＣの補助決定に基づいた復号化アルゴリズムが、第１のサブストリームに対して復号化処理を行うために採用される。
【００５６】
工程７０３：第１のサブストリーム、第２のサブストリーム、及び第３のサブストリームの復号化結果を基地局制御装置に送出し、第１のサブストリームの復号化結果が、復号化ビット・ストリーム及びＣＲＣ結果を含む。
【００５７】
上記工程７０１乃至工程７０３の実現原理は、図３に示す方法の実施例における工程３０１乃至工程３０３の実現原理と同様であり、ここでは再び繰り返し説明しないものとする。
【００５８】
工程７０４：第１のサブストリームのレート・マッチング・パラメータを削減し、第２のサブストリーム及び第３のサブストリームのレート・マッチング・パラメータを増加させる。
【００５９】
本実施例では、３つのサブストリームのレート・マッチング・パラメータを再構成することにより、第１のサブストリームのレート・マッチング・パラメータが削減されるようイネーブルされ、第２のサブストリーム及び第３のサブストリームのレート・マッチング・パラメータを増加させるようイネーブルし、第１のサブストリームの伝送リソースの一部を第２のサブストリーム及び第３のサブストリームに渡すので、ＰＬＶＡ下で新たなバランスに達するよう３つのサブストリームがイネーブルされ、それにより、ＭＯＳ評点の削減が避けられる。技術的解決策は、製品に対して行う変更が少なく、実現することが容易である。
【００６０】
図８は、本発明による音声信号処理の第４の方法の実施例のフローチャートである。図９は、図８に示す第４の方法の実施例における３つのサブストリームの処理の概略構造図である。図８及び図９、本実施例の方法は、以下を含み得る。
【００６１】
工程８０１：ＵＥによって送出されるＡＭＲ音声信号を受信する。
【００６２】
ＡＭＲ音声信号は３つのサブストリーム、Ａ、Ｂ、及びＣ、すなわち、クラスＡ、クラスＢ、及びクラスＣを含み、ここで、クラスＡのデータ・ブロック後、ＣＲＣが付加され、サブストリームＢ及びＣのデータ・ブロックに後続するＣＲＣはない。
【００６３】
工程８０２：ＬＶＡ復号化器を採用することにより、サブストリームＡに対して復号化処理を行い、ＶＡ復号化器を採用することにより、サブストリームＢ及びサブストリームＣに対して復号化処理を行う。
【００６４】
工程８０３：ＬＶＡ復号化器は、ＲＮＣにおいてＶＡ  ＣＲＣＩを外側ループ電力制御モジュール（Ｏｕｔｅｒ−Ｌｏｏｐ  Ｐｏｗｅｒ  Ｃｏｎｔｒｏｌ）に送出する。
【００６５】
工程８０４：ＬＶＡ復号化器は、ＲＮＣを介してＡＭＲ音声復号化器（ＡＭＲ  Ｓｐｅｅｃｈ  Ｄｅｃｏｄｅｒ）にＬＶＡ  ＣＲＣＩを送出する。
【００６６】
工程８０５：サブストリームＡの復号化結果であり、ＬＶＡ復号化器によって復号化された復号化結果、並びに、サブストリームＢ及びＣの復号化結果であり、２つのＶＡ復号化器によって復号化された復号化結果はＲＮＣを介してＡＭＲ音声復号化器に送出される。
【００６７】
工程８０３と工程８０４との間にはシーケンスは何も存在しない。
【００６８】
本発明者はシステム・シミュレーションを行うために上記技術的解決策を採用しており、ＡＭＲ１２．２ｋサービスのサブストリームＡの場合、ＶＡに対してＰＬＶＡ−４は約０．３ｄＢの性能利得を有しているということがシミュレーション結果から分かり得る。ダブルＣＲＣ（ｄｏｕｂｌｅ−ＣＲＣ）によって通知された解決策により、ＢＬＥＲ＝１％の場合、ＭＯＳ評点０．１の利得を得ることが可能であり、ＢＬＥＲ＝１０％の場合、ＭＯＳ評点０．３５の利得を得ることが可能である。システムにおけるＢＬＥＲがより大きい場合、ＭＯＳ評点の利得であり、ＰＬＶＡによってもたらされる利得はより大きい。
【００６９】
本実施例では、ｄｏｕｂｌｅ−ＣＲＣ解決策を採用することにより、ＷＣＤＭＡシステムなどの、電力制御を備えた音声処理システムは、外側ループ電力制御の目標ＢＬＥＲを修正する必要も、サブストリームＡ、Ｂ、及びＣのレート・マッチング・パラメータを修正する必要もなく、その代わりに、ＬＶＡによってもたらされる性能利得は、音声ＭＯＳ評点の利得に直接変換される。サブストリームＡはＡＭＲ音声において最も重要であるので、方法は、最大限、音声性能を向上させることが可能であり、その一方で、既存のシステムに対する影響が最も小さい。
【００７０】
図１０は、本発明による音声信号処理の第５の方法の実施例のフローチャートである。図１０に示すように、本実施例の方法は、以下を含み得る。
【００７１】
工程１０１：第１のサブストリーム、第２のサブストリーム、及び第３のサブストリームの復号化結果であり、基地局によって送出される復号化結果を受信する。第１のサブストリームの復号化結果は、ＣＲＣの補助決定に基づいた復号化アルゴリズムを採用することにより、復号化処理が行われた後に獲得された復号化結果であり、復号化結果は、復号化ビット・ストリーム及びＣＲＣ結果を含む。
【００７２】
工程１０２：最善経路のチェック結果を外側ループ電力制御モジュールに送出し、正しい経路上のＣＲＣ結果及び復号化結果をコア・ネットワークに送出する。
【００７３】
本実施例は、基地局制御装置によって実行される技術的解決策であり、基地局によって実行され、図３に示す技術的解決策に対応し、その実現原理は、技術的解決策の上記説明に詳細に示しており、ここで再び繰り返し説明しないものとする。本実施例における基地局制御装置はＲＮＣ又はＢＳＣであり得る。本実施例における、ＣＲＣの補助決定に基づいた復号化アルゴリズムはＰＬＶＡ及びＳＬＶＡを含み得、これらはここで再び繰り返し説明しないものとする。
【００７４】
本実施例では、基地局制御装置は、ＣＲＣの補助決定に基づいた復号化アルゴリズムを採用することにより、基地局が第１のサブストリームに対して復号化処理を行った後、復号化ビット・ストリーム及びＣＲＣ結果を受信することが可能であり、従来技術における共通のＶＡ復号化アルゴリズムを採用することによって行われる復号化処理と比較して、本実施例では、第１のサブストリームに対する復号化性能を向上させることが可能である。音声品質にとって第１のサブストリームは比較的重要であるので、本実施例では、音声品質を向上させ、音声品質に対するユーザのより高い要求を満たすために第１のサブストリームの復号化性能を向上させることが可能である。
【００７５】
本発明の別の実施例では、図１０に示す方法の実施例の工程１０２後、基地局が、第１のサブストリームが占めるチャネル・リソースを削減し、第２のサブストリーム及び第３のサブストリームが占めるチャネル・リソースを増加させる旨を指示する工程を更に含み得る。実施例の方法は上記第１の解決策の方法に対応し、その実現原理及び技術的効果は同様であり、これらはここで再び繰り返し説明しないものとする。
【００７６】
本発明の更に別の実施例では、図１０に示す方法の実施例の工程１０２後、外側ル―プ電力制御モジュールの目標ブロック誤り率を削減して、削減された目標信号対干渉雑音比を基地局に送出するよう外側ル―プ電力制御モジュールをイネーブルする工程を更に含み得る。本実施例の方法は上記第２の解決策の方法に対応し、その実現原理及び技術的効果は同様であり、これらはここで再び繰り返し説明しないものとする。
【００７７】
上記第３の解決策の具体的な実現過程は以下に詳細に示す。
【００７８】
図１１は、本発明による音声信号処理の第６の方法の実施例のフローチャートである。図１１に示すように、本実施例の方法は、以下を含み得る。
【００７９】
工程２０１：第１のサブストリーム、第２のサブストリーム、及び第３のサブストリームの復号化結果であり、基地局によって送出される復号化結果を受信する。第１のサブストリームの復号化結果は、ＣＲＣの補助決定に基づいた復号化アルゴリズムを採用することにより、復号化処理が行われた後に獲得された復号化結果であり、復号化結果は、復号化ビット・ストリーム及びＣＲＣ結果を含む。
【００８０】
ＣＲＣ結果は、正しい経路のＣＲＣ結果及び最善経路のＣＲＣ結果を含み得、復号化ビット・ストリームは、正しい経路上の復号化ビット・ストリームである。
【００８１】
工程２０２：最善経路のＣＲＣ結果を外側ループ電力制御モジュールに送出する。
【００８２】
工程２０３：正しい経路上の復号化ビット・ストリーム及び正しい経路のＣＲＣ結果をコア・ネットワークに送出する。
【００８３】
工程２０４：第２のサブストリーム及び第３のサブストリームの復号化結果をコア・ネットワークに送出する。
【００８４】
工程２０２乃至工程２０４には実行シーケンスが存在しないことがあり得る。
【００８５】
本実施例では、ダブルＣＲＣ解決策を採用することにより、ＷＣＤＭＡシステムなどの、電力制御を備えた音声処理システムは、外側ループ電力制御の目標ＢＬＥＲを修正する必要も、３つのサブストリームのレート・マッチング・パラメータを修正する必要もなく、その代わりに、ＣＲＣの補助決定に基づいた復号化アルゴリズムによってもたらされる性能利得は、音声ＭＯＳ評点の利得に直接変換される。第１のサブストリームはＡＭＲ音声において最も重要であるので、音声性能を最大限、向上させることが可能であり、その一方で、既存のシステムに対する影響は最小である。
【００８６】
広帯域ＡＭＲ音声、及び狭帯域ＡＭＲ音声の一部の場合、サブストリームＣのビットの数は０である。上記実施例では、サブストリームＣのビットの数が０でない狭帯域ＡＭＲ音声を例証のために例にとっているが、当業者は、本発明の実施例における技術的解決策が、サブストリームＣのビットの数が０である狭帯域ＡＭＲ音声及び広帯域ＡＭＲ音声にも適用可能であり、その実現原理が上記実施例の実現原理と同様であり、それはここで再び繰り返し説明しないものとする。
【００８７】
図１２は、本発明による基地局の第１の実施例の概略構造図である。図１２に示すように、本実施例における基地局は第１の受信モジュール１１、復号化処理モジュール１２、及び第１の送出モジュール１３を含み得る。第１の受信モジュール１１は、ＵＥによって送出された符号化音声信号を受信するよう構成され、符号化音声信号は、第１のサブストリーム、第２のサブストリーム、及び第３のサブストリームを含み、第１のサブストリームはＣＲＣを含む。復号化処理モジュール１２は、復号化アルゴリズムを採用することにより、第１のサブストリーム、第２のサブストリーム、及び第３のサブストリームに対して復号化処理を行うよう構成され、ＣＲＣの補助決定に基づいた復号化アルゴリズムが、第１のサブストリームに対して復号化処理を行うために採用される。第１の送出モジュール１３は、第１のサブストリーム、第２のサブストリーム、及び第３のサブストリームの復号化結果を基地局制御装置に送出するよう構成され、第１のサブストリームの復号化結果は、復号化ビット・ストリーム、及びＣＲＣ結果を含む。
【００８８】
本実施例における基地局は、図３に示す方法の実施例の方法を実行するために使用することが可能であり、その実現原理及び技術的効果は同様であり、それらはここで再び繰り返し説明しないものとする。本実施例における基地局はＢＴＳ、ノードＢ、又はｅＮＢであり得る。
【００８９】
図１３は、本発明による基地局の第２の実施例の概略構造図である。図１３に示すように、本実施例における基地局の場合、図１２に示す基地局に基づいて、更に、第１の受信モジュール１１は第１の受信装置１１１、第２の受信装置１１２、及び第３の受信装置１１３を含み得る。第１の受信装置１１１は第１のサブストリームを受信するよう構成され、第２の受信装置１１２は第２のサブストリームを受信するよう構成され、第３の受信装置１１３は第３のサブストリームを受信するよう構成される。復号化処理モジュール１２は、第１の復号化処理装置１２１、第２の復号化処理装置１２２、及び第３の復号化処理装置１２３を含み得る。第１の復号化処理装置１２１は、並列リスト・ビタビ復号化アルゴリズムを採用することにより、第１のサブストリームに対して復号化処理を行って、複数の候補経路上の復号化結果を獲得し、ＣＲＣを適用することにより、複数の候補経路上の復号化結果に対してＣＲＣを行って、正しいＣＲＣ結果の経路上の復号化結果、正しい経路のＣＲＣ結果、及び最善経路のＣＲＣ結果を獲得するよう構成され、最善経路は、ビタビ復号化アルゴリズムを採用することによって判定される最大尤度経路である。第２の復号化処理装置１２２は、ビタビ復号化アルゴリズムを採用することにより、第２のサブストリームに対して復号化処理を行って復号化結果を獲得するよう構成される。第３の復号化処理装置１２３は、ビタビ復号化アルゴリズムを採用することにより、第３のサブストリームに対して復号化処理を行って復号化結果を獲得するよう構成される。第１の送出モジュール１３１は、第１の送出装置１３１、第２の送出装置１３２、及び第３の送出装置１３３を含み得る。第１の送出装置１３１は、第１の復号化処理装置によって獲得された最善経路のチェック結果、正しい経路のＣＲＣ結果、及び正しい経路上の復号化結果を基地局制御装置に送出するよう構成されるので、基地局制御装置は、最善経路のチェック結果を外側ループ電力制御モジュールに送出し、正しい経路上の復号化結果及びＣＲＣ結果をコア・ネットワークに送出する。第３の送出装置１３２は、第２の復号化処理装置によって獲得された復号化結果を基地局制御装置に送出するよう構成される。第２の送出装置１３３は、第３の復号化処理装置によって獲得された復号化結果を基地局制御装置に送出するよう構成される。
【００９０】
本実施例における基地局は、上記第３の解決策において説明した技術的解決策を実行するために使用することが可能であり、具体的には、図８に示す方法の実施例の方法を実行し得る。その実現原理及び技術的効果は同様であり、ここで再び繰り返し説明しないものとする。
【００９１】
図１４は、本発明による基地局の第３の実施例の概略構造図である。図１４に示すように、図１２に示す基地局に基づく、本実施例における基地局は、第１のサブストリームが占めるチャネル・リソースを削減し、第２のサブストリーム及び第３のサブストリームが占めるチャネル・リソースを増加させるよう構成されたチャネル・リソース制御モジュール１４を更に含む。
【００９２】
本実施例における基地局は、上記第１の解決策において説明した技術的解決策を実行するために使用することが可能であり、具体的には、図６に示す方法の実施例の方法を実行し得る。その実現原理及び技術的効果は同様であり、ここで再び繰り返し説明しないものとする。
【００９３】
図１５は、本発明による基地局の第４の実施例の概略構造図である。図１５に示すように、図１２に示す基地局に基づく、本実施例における基地局は更に、基地局制御装置によって送出される削減された目標信号対干渉雑音比を受信し、目標信号対干渉雑音比に応じて、内側ループ電力制御を行うよう構成された内側ループ電力制御モジュール１５を更に含む。
【００９４】
本実施例における基地局は、上記第２の解決策において説明した技術的解決策を実行するために使用することが可能であり、具体的には、図７に示す方法の実施例の方法を実行し得る。その実現原理及び技術的効果は同様であり、ここで再び繰り返し説明しないものとする。
【００９５】
図１６は、本発明による基地局制御装置の第１の実施例の概略構造図である。図１６に示すように、本実施例における基地局制御装置は第２の受信モジュール２１及び第２の送出モジュール２２を含み得る。第２の受信モジュール２１は、第１のサブストリーム、第２のサブストリーム、及び第３のサブストリームの復号化結果であり、基地局によって送出される復号化結果を受信するよう構成され、第１のサブストリームの復号化結果は、巡回冗長チェックＣＲＣの補助決定に基づいた復号化アルゴリズムを採用することにより、復号化処理が行われた後に獲得された復号化結果であり、復号化結果は、復号化ビット・ストリーム及びＣＲＣ結果を含む。第２の送出モジュール２２は、ＣＲＣ結果を外側ループ電力制御モジュールに送出し、第１のサブストリームのＣＲＣ結果、及び復号化ビット・ストリーム、並びに、第２のサブストリーム及び第３のサブストリームの復号化結果をコア・ネットワークに送出するよう構成される。
【００９６】
本実施例における基地局制御装置は、図１０に示す上記方法の実施例における技術的解決策を実行するために使用することが可能であり、その実現原理及び技術的効果は同様であり、それらはここで再び繰り返し説明しないものとする。
【００９７】
図１７は、本発明による基地局制御装置の第２の実施例の概略構造図である。図１７に示すように、ＣＲＣ結果は、正しい経路のＣＲＣ結果、及び最善経路のＣＲＣ結果を含み、復号化ビット・ストリームは、正しい経路上の復号化ビット・ストリームであり、最善経路はビタビ復号化アルゴリズムを採用することによって判定される最大尤度経路である。図１６に示す基地局制御装置に基づく、本実施例における基地局制御装置の場合、更に、第２の送出モジュール２２は、第４の送出装置２２１及び第５の送出装置２２２を含む。第４の送出装置２２１は、最善経路のＣＲＣ結果を外側ループ電力制御モジュールに送出するよう構成される。第５の送出装置２２２は、正しい経路上の復号化ビット・ストリーム、及び正しい経路のＣＲＣ結果をコア・ネットワークに送出し、第２のサブストリーム及び第３のサブストリームの復号化結果をコア・ネットワークに送出するよう構成される。
【００９８】
本実施例における基地局制御装置は、上記第３の解決策において説明した技術的解決策を実行するために使用することが可能であり、具体的には、図１１に示す方法の技術的解決策を実行し得る。その実現原理及び技術的効果は同様であり、ここで再び繰り返し説明しないものとする。
【００９９】
図１８は、本発明による基地局制御装置の第３の実施例の概略構造図である。図１８に示すように、図１６に示す基地局制御装置に基づく、本実施例における基地局制御装置は、基地局が、第１のサブストリームが占めるチャネル・リソースを削減し、第２のサブストリーム及び第３のサブストリームが占めるチャネル・リソースを増加させる旨を指示するよう構成された指示モジュール２３を更に含む。
【０１００】
本実施例における基地局制御装置は、上記第１の解決策に説明された技術的解決策を実行するために使用することが可能であり、その実現原理及び技術的効果は同様であり、それらはここで再び繰り返し説明しないものとする。
【０１０１】
図１９は、本発明による基地局制御装置の第４の実施例の概略構造図である。図１９に示すように、図１６に示す基地局制御装置に基づく、本実施例における基地局制御装置は、外側ループ電力制御モジュールの目標ブロック誤り率を削減して、削減された目標信号対干渉雑音比を基地局に送出するよう外側ループ電力制御モジュールをイネーブルするよう構成されたパラメータ制御モジュール２４を更に含む。
【０１０２】
本実施例における基地局制御装置は、上記第２の解決策に説明された技術的解決策を実行するために使用することが可能であり、その実現原理及び技術的効果は同様であり、それらはここで再び繰り返し説明しないものとする。
【０１０３】
図２０は、本発明によるアクセス・ネットワーク・システムの実施例の概略構造図である。図２０に示すように、本実施例におけるアクセス・ネットワーク・システムは基地局１及び基地局制御装置２を含み得る。基地局１は、相応に、図３、及び図６乃至図８における何れかの実施例に記載された技術的解決策を実行することが可能な、図１２乃至図１５に示す何れかの基地局の構造を採用することが可能である。基地局制御装置２は、図１０又は図１１に示す技術的解決策を実行することが可能である、図１６乃至図１９に示す何れかの基地局制御装置の構造を採用し得、それらの実現原理及び技術的効果は同様であり、ここで再び繰り返し説明しないものとする。
【０１０４】
上記方法の実施例の工程の全部又は一部を、プログラムが指示する適切なハードウェアによって実現し得、上記プログラムをコンピュータ読み取り可能な記憶媒体に記憶し得るということを当業者は理解し得る。プログラムが動作すると、上記方法の実施例の工程が実行され、上記記憶媒体は、ＲＯＭ、ＲＡＭ、磁気ディスク、又はコンパクト・ディスクなどの、プログラム・コードを記憶することが可能な種々の媒体を含む。
【０１０５】
最後に、上記実施例は本発明の技術的解決策を説明するために使用しているに過ぎない一方、本発明を限定することを意図するものでない。本発明は、以下の実施例を参照して詳細に説明しているが、上記実施例それぞれに記載された技術的解決策に対して修正をなお行うことが可能であるか、又は、技術的解決策における一部の技術的特徴に対して同等の置換を行うことが可能である一方で、前述の修正又は置換が、対応する技術的解決策の本質を、本発明の実施例それぞれの技術的解決策の趣旨及び範囲から逸脱させないということを当業者は理解すべきである。
【図１】
0005881818.tif 000002
【図２】
0005881818.tif 000003
【図３】
0005881818.tif 000004
【図４】
0005881818.tif 000005
【図５】
0005881818.tif 000006
【図６】
0005881818.tif 000007
【図７】
0005881818.tif 000008
【図８】
0005881818.tif 000009
【図９】
0005881818.tif 000010
【図１０】
0005881818.tif 000011
【図１１】
0005881818.tif 000012
【図１２】
0005881818.tif 000013
【図１３】
0005881818.tif 000014
【図１４】
0005881818.tif 000015
【図１５】
0005881818.tif 000016
【図１６】
0005881818.tif 000017
【図１７】
0005881818.tif 000018
【図１８】
0005881818.tif 000019
【図１９】
0005881818.tif 000020
【図２０】
0005881818.tif 000021